(57)【特許請求の範囲】
【請求項１】
互いに異なるＴＤＤ（Time Division Duplex）設定の２つ以上のバンドを使用して、基地局がユーザ端末と信号を送受信する方法であって、
前記ユーザ端末にユーザ端末機能情報の要請メッセージを送信し、
前記ユーザ端末から前記要請メッセージに対する応答として、前記ユーザ端末の転送モード情報を含むユーザ端末機能情報メッセージを受信し、
前記２つ以上のバンドを使用するコンポーネントキャリアを含むコンポーネントキャリアアグリゲーションを前記ユーザ端末に設定するための制御情報を前記ユーザ端末に送信し、
前記転送モード情報に従って前記ユーザ端末と前記コンポーネントキャリアアグリゲーションを通じて信号を送受信することを含み、
前記転送モード情報は前記ユーザ端末が前記２つ以上のバンドにおいて全二重（Full-duplex）モードで動作するか、または半二重（Half-duplex）モードで動作するかを指示する情報を含み、
前記ユーザ端末機能情報メッセージはUE-EUTRA-Capability情報エレメントを含み、前
記UE-EUTRA-Capability情報エレメントは前記２つ以上のバンドのうち、少なくとも１つ
のバンド結合に関する情報を含み、
前記転送モード情報は前記バンド結合に関する情報に対応することによって、バンド別／ＣＣ別／ＤＬ−ＵＬ別に設定されること、
を特徴とする、方法。
【請求項２】
互いに異なるＴＤＤ（Time Division Duplex）設定の２つ以上のバンドを使用して、ユーザ端末が基地局と信号を送受信する方法であって、
前記基地局からユーザ端末機能情報の要請メッセージを受信し、
前記要請メッセージに対する応答として、前記ユーザ端末の転送モード情報を含むユーザ端末機能情報メッセージを送信し、
前記２つ以上のバンドを使用するコンポーネントキャリアを含むコンポーネントキャリ
アアグリゲーションを前記ユーザ端末に設定するための制御情報を前記基地局から受信し、
前記転送モード情報に従って前記基地局と前記コンポーネントキャリアアグリゲーションを通じて信号を送受信することを含み、
前記転送モード情報は、前記ユーザ端末が前記２つ以上のバンドにおいて全二重（Full-duplex）モードで動作するか、または半二重（Half-duplex）モードで動作するかを指示する情報を含み、
前記ユーザ端末情報メッセージはUE-EUTRA-Capability情報エレメントを含み、前記UE-EUTRA-Capability情報エレメントは前記２つ以上のバンドのうち、少なくとも１つのバンド結合に関する情報を含み、
前記転送モード情報は前記バンド結合に関する情報に対応することによって、バンド別／ＣＣ別／ＤＬ−ＵＬ別に設定されること、
を特徴とする、方法。
【請求項３】
互いに異なるＴＤＤ（Time Division Duplex）設定の２つ以上のバンドを使用してユーザ端末と信号を送受信する基地局であって、
前記ユーザ端末にユーザ端末機能情報の要請メッセージを送信する送信部と、
前記ユーザ端末から前記要請メッセージに対する応答として、前記ユーザ端末の転送モード情報を含むユーザ端末機能情報メッセージを受信する受信部と、
前記２つ以上のバンドを使用するコンポーネントキャリアを含むコンポーネントキャリアアグリゲーションを前記ユーザ端末に設定する制御部と、を含み、
前記転送モード情報は前記ユーザ端末が前記２つ以上のバンドにおいて全二重（Full-duplex）モードで動作するか、または半二重（Half-duplex）モードで動作するかを指示する情報を含み、
前記送信部は、前記転送モード情報に従って前記ユーザ端末に前記コンポーネントキャリアアグリゲーションを通じて信号を送信し、
前記受信部は、前記転送モード情報に従って前記ユーザ端末から前記コンポーネントキャリアアグリゲーションを通じて信号を受信し、
前記ユーザ端末機能情報メッセージはUE-EUTRA-Capability情報エレメントを含み、前
記UE-EUTRA-Capability情報エレメントは前記２つ以上のバンドのうち、少なくとも１つ
のバンド結合に関する情報を含み、
前記転送モード情報は前記バンド結合に関する情報に対応することによって、バンド別／ＣＣ別／ＤＬ−ＵＬ別に設定されること、
を特徴とする、基地局。
【請求項４】
互いに異なるＴＤＤ（Time Division Duplex）設定の２つ以上のバンドを使用して基地局と信号を送受信する端末であって、
前記基地局からユーザ端末機能情報の要請メッセージを受信し、前記２つ以上のバンドを使用するコンポーネントキャリアを含むコンポーネントキャリアアグリゲーションを前記端末に設定するための制御情報を受信する受信部と、
前記２つ以上のバンドでの前記端末の転送モード情報を含むユーザ端末機能情報メッセージを生成する制御部と、
前記要請メッセージに対する応答として、前記ユーザ端末機能情報メッセージを送信する送信部と、を含み、
前記転送モード機能情報は、前記端末が前記２つ以上のバンドにおいて全二重（Full-duplex）モードで動作するか、または半二重（Half-duplex）モードで動作するかを指示する情報を含み、
前記送信部は、前記転送モード情報に従って前記基地局に前記コンポーネントキャリア
アグリゲーションを通じて信号を送信し、
前記受信部は、前記転送モード情報に従って前記基地局から前記コンポーネントキャリアアグリゲーションを通じて信号を受信し、
前記ユーザ端末機能情報メッセージはUE-EUTRA-Capability情報エレメントを含み、
前記UE-EUTRA-Capability情報エレメントは前記２つ以上のバンドのうち、少なくとも
１つのバンド結合に関する情報を含み、
前記転送モード情報は前記バンド結合に関する情報に対応することによって、バンド別／ＣＣ別／ＤＬ−ＵＬ別に設定されること、
を特徴とする、端末。
【発明の詳細な説明】
【技術分野】
【０００１】
本発明は、インターバンド（inter-band）ＴＤＤ転送方式におけるユーザ端末の転送モード情報を送受信する方法及び装置に関するものである。即ち、バンド間のＴＤＤ転送方式が相異し、このような相異するバンドでＴＤＤ転送を実行するユーザ端末の転送モードが半二重（Half Duplex）なのか、全二重（Full Duplex）なのかに関する情報を基地局または基地局の機能を実行する装置に提供する方法と、これを具現した装置について説明する。
【背景技術】
【０００２】
通信システムが発展するにつれて、事業体及び個人のような消費者は非常に多様な無線端末機を使用するようになった。現在の３ＧＰＰ系列のＬＴＥ（Long Term Evolution）、ＬＴＥ−Ａ（LTE Advanced）などの移動通信システムでは、音声中心のサービスを外れて映像、無線データなどの多様なデータを送受信できる高速大容量の通信システムとして、有線通信ネットワークに準ずる大容量データを転送できる技術開発が要求されている。大容量のデータを転送するための方式で多数のコンポーネントキャリアを通じてデータを効率的に転送することができる。一方、ＴＤＤ（Time Division Duplex）システムでは送信（Transmission：Ｔｘ）と受信（Reception：Ｒｘ）とに特定の周波数帯域を利用し、かつタイムスロットに区分してデータを送信及び受信することができる。この場合、ＴＤＤシステムでアップリンク（Uplink：ＵＬ）及びダウンリンク（Downlink：ＤＬ）を設定する方式によってデータ送受信に対する応答情報を転送するタイミングが変わることがある。
【０００３】
一方、１つまたは多数のコンポーネントキャリア（Component Carrier：ＣＣ）を結合する多重キャリアアグリゲーション（Carrier Aggregation、またはキャリア結合、“ＣＡ”）環境で、各々のコンポーネントキャリアが属したバンド（band）が相異することがある。即ち、インターバンド方式によりキャリア結合がなされた場合、各バンドのＴＤＤ設定が相異すれば、ユーザ端末の転送モードによって送受信サブフレームに対する制限を加えることができる。しかしながら、現在ユーザ端末の転送モードを共有するメカニズムが提示されていない。
【発明の概要】
【発明が解決しようとする課題】
【０００４】
インターバンドＣＡ下で、キャリアアグリゲートされたコンポーネントキャリアが相異するＴＤＤ設定であり、衝突するサブフレームが存在する場合、ユーザ端末の転送モードが全二重モードなのか半二重モードなのかによって、衝突するサブフレームでのミューティングをするか否か及び送受信方式を決定できるようにする。そして、このようなユーザ端末の転送モードに関する情報が基地局とユーザ端末との間にシグナリング（signaling）できるように具現しようとする。
【課題を解決するための手段】
【０００５】
本明細書の一実施形態によるインターバンドＴＤＤ転送方式におけるユーザ端末の転送モード情報を受信する方法は、互いに異なるＴＤＤ（Time Division Duplex）設定の２つ以上のバンドを制御する基地局において、ユーザ端末にユーザ端末の機能を要請するメッセージを送信するステップ、ユーザ端末からメッセージに対する応答として、２つ以上のバンドでのユーザ端末の転送モード機能情報を含むユーザ端末機能情報メッセージを受信するステップ、及び基地局は転送モード機能情報に一致するようにユーザ端末のコンポーネントキャリアアグリゲーション環境を設定するステップを含み、転送モード機能情報は、ユーザ端末が２つ以上のバンドで全二重（Full-duplex）モードで動作するか、または半二重（Half-duplex）モードで動作するかに関する情報を含む。
【０００６】
本明細書の他の実施形態によるインターバンドＴＤＤ転送方式におけるユーザ端末の転送モード情報を送信する方法は、ユーザ端末が、互いに異なるＴＤＤ（Time Division Duplex）設定の２つ以上のバンドを制御するネットワークまたは基地局からユーザ端末の機能を要請するメッセージを受信するステップ、２つ以上のバンドでのユーザ端末の転送モード機能情報を含むユーザ端末機能情報メッセージを生成するステップ、及びネットワークまたは基地局にメッセージに対する応答として、ユーザ端末機能情報メッセージを送信するステップを含み、転送モード機能情報はユーザ端末が２つ以上のバンドで全二重（Full-duplex）モードで動作するか、または半二重（Half-duplex）モードで動作するかに関する情報を含む。
【０００７】
本明細書の更に他の実施形態によるインターバンドＴＤＤ転送方式におけるユーザ端末の転送モード情報を受信する装置は、互いに異なるＴＤＤ（Time Division Duplex）設定の２つ以上のバンドを制御する基地局において、ユーザ端末にユーザ端末の機能を要請するメッセージを送信する送信部、ユーザ端末からメッセージに対する応答として、２つ以上のバンドでのユーザ端末の転送モード機能情報を含むユーザ端末機能情報メッセージを受信する受信部、及び転送モード機能情報に一致するようにユーザ端末のコンポーネントキャリアアグリゲーション環境を設定する制御部を含み、転送モード機能情報はユーザ端末が２つ以上のバンドで全二重（Full-duplex）モードで動作するか、または半二重（Half-duplex）モードで動作するかに関する情報を含む。
【０００８】
本明細書の更に他の実施形態によるインターバンドＴＤＤ転送方式におけるユーザ端末の転送モード情報を送信する装置は、ユーザ端末が互いに異なるＴＤＤ（Time Division Duplex）設定の２つ以上のバンドを制御するネットワークまたは基地局からユーザ端末の機能を要請するメッセージを受信する受信部、２つ以上のバンドでのユーザ端末の転送モード機能情報を含むユーザ端末機能情報メッセージを生成する制御部、及びネットワークまたは基地局にメッセージに対する応答として、ユーザ端末機能情報メッセージを送信する送信部を含み、転送モード機能情報はユーザ端末が２つ以上のバンドで全二重（Full-duplex）モードで動作するか、または半二重（Half-duplex）モードで動作するかに関する情報を含む。
【図面の簡単な説明】
【０００９】
【図１】本明細書の実施形態が適用される無線通信システムを図示する。
【図２】本明細書の一実施形態によるインターバンド間のＣＡ環境を示す図である。
【図３】図２のインターバンド間のＣＡ環境下でユーザ端末の転送モードによってサブフレーム別動作方式を示す図である。
【図４】本明細書の一実施形態による相異するＴＤＤ設定がなされたバンドの間のＣＡを示す図である。
【図５】本明細書の一実施形態によるユーザ端末が基地局にユーザ端末の機能に関する情報を提供し、ＲＲＣ（Radio Resource Control）接続を実行する過程を示している。
【図６】本明細書の一実施形態によるユーザ端末がネットワークに接続または結合する場合に、ネットワークに端末の情報を提供する過程を示す。
【図７】本明細書の一実施形態による転送モード情報をUECapabilityInformation IE内に追加フィールドとして具現する図である。
【図８】本明細書の他の実施形態による、UECapabilityInformation IE内にUE-Category値を再調整して転送モードを設定するための設定値を示す図である。
【図９】本明細書の更に他の実施形態によるＵＥがサポートするバンド結合内にサポート可能なＵＥの転送モード情報を含める例を示す図である。
【図１０】図９のRF-Parameters-v11xx内にサポート可能なＵＥの転送モード情報を含めた実施形態である。
【図１１】本明細書の更に他の実施形態によるＵＥがサポートするバンド結合内にサポート可能なＵＥの転送モード情報を含める例を示す図である。
【図１２】本明細書の更に他の実施形態によるＴＤＤシステムのために新しくサポートされるバンド結合を別に指定して転送モードを設定する図である。
【図１３】本明細書の一実施形態によるインターバンドＣＡ環境を示す図である。
【図１４】本明細書の一実施形態による図７の方式によりＵＥの機能のうち、インターバンドＣＡ環境で転送モードが全二重方式なのか、半二重方式なのかに関する情報を転送する図である。
【図１５】本明細書の他の実施形態による図９及び図１０の方式によりＵＥの機能のうち、インターバンドＣＡ環境で転送モードが全二重方式なのか、半二重方式なのかに関する情報を転送する図である。
【図１６】図１５に続いて、“supportedBandCombination-r11”フィールド内のバンド情報を用いて図９及び図１０で説明したように、ＵＥの機能のうち、インターバンドＣＡ環境で転送モードが全二重方式なのか、半二重方式なのかに関する情報を転送する図である。
【図１７】本明細書の更に他の実施形態による図１１の方式によりＵＥの機能のうち、インターバンドＣＡ環境で転送モードが全二重方式なのか、半二重方式なのかに関する情報を転送する図である。
【図１８】本明細書の更に他の実施形態による図１２の方式によりＵＥの機能のうち、インターバンドＣＡ環境で転送モードが全二重方式なのか、半二重方式なのかに関する情報を転送する図である。
【図１９】本明細書の更に他の実施形態による図１１及び図１２の方式によりＵＥの機能のうち、インターバンドＣＡ環境で転送モードが全二重方式なのか、半二重方式なのかに関する情報を転送する図である。
【図２０】本明細書の一実施形態によるインターバンドＴＤＤ転送方式におけるユーザ端末の転送モード情報を受信する過程を示す図である。
【図２１】本明細書の一実施形態によるインターバンドＴＤＤ転送方式におけるユーザ端末の転送モード情報を送信する過程を示す図である。
【図２２】本明細書の一実施形態によるインターバンドＴＤＤ転送方式におけるユーザ端末の転送モード情報を受信する装置の構成を示す図である。
【図２３】本明細書の一実施形態によるインターバンドＴＤＤ転送方式におけるユーザ端末の転送モード情報を送信する装置の構成を示す図である。
【発明を実施するための形態】
【００１０】
以下、本発明の一部の実施形態を添付した図面を参照しつつ詳細に説明する。各図面の構成要素に参照符号を付加するに当たって、同一の構成要素に対してはたとえ他の図面上に表示されても、できる限り同一の符号を有するようにすることに留意しなければならない。また、本発明を説明するに当たって、関連した公知構成または機能に対する具体的な説明が本発明の要旨を曖昧にすることがあると判断される場合にはその詳細な説明は省略する。
【００１１】
図１は、本明細書の実施形態が適用される無線通信システムを図示する。
【００１２】
無線通信システムは、音声、パケットデータなどのような多様な通信サービスを提供するために広く配置される。
【００１３】
図１を参照すると、無線通信システムは、ユーザ端末１０（User Equipment：ＵＥ）及び基地局２０（Base Station：ＢＳ、またはｅＮＢ）を含む。本明細書でのユーザ端末１０は、無線通信での端末を意味する包括的概念であって、ＷＣＤＭＡ（登録商標）及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００１４】
基地局２０またはセル（cell）は、一般的にユーザ端末１０と通信する地点（station）をいい、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）など、他の用語と呼ばれることができる。
【００１５】
即ち、本明細書において、基地局２０またはセル（cell）は、ＣＤＭＡでのＢＳＣ（Base Station Controller）、ＷＣＤＭＡのＮｏｄｅＢ、ＬＴＥでのｅＮＢ、またはセクター（サイト）などがカバーする一部領域または機能を示す包括的な意味として解釈されなければならず、メガセル、マクロセル、マイクロセル、ピコセル、フェムトセル、及びリレーノード（relay node）通信範囲など、多様なカバレッジ領域を全て包括する意味である。
【００１６】
本明細書において、ユーザ端末１０と基地局２０は本明細書で記述する技術または技術的思想を具現することに使われる２つの送受信主体であって、包括的な意味として使われ、特定に称される用語または単語により限定されない。ユーザ端末１０と基地局２０は、本発明で記述される技術または技術的思想を具現することに使われる２つ（UplinkまたはDownlink）送受信主体であって、包括的な意味として使われ、特定に称される用語または単語により限定されない。ここで、アップリンク（Uplink：ＵＬ）はユーザ端末１０により基地局２０にデータを送受信する方式を意味し、ダウンリンク（Downlink：ＤＬ）は基地局２０によりユーザ端末１０にデータを送受信する方式を意味する。
【００１７】
無線通信システムに適用される多重アクセス方式には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡのような多様な多重アクセス方式を使用することができる。本発明の一実施形態は、ＧＳＭ、ＷＣＤＭＡ、ＨＳＰＡを経てＬＴＥ及びLTE-advancedに進化する非同期無線通信と、ＣＤＭＡ、ＣＤＭＡ−２０００、及びＵＭＢに進化する同期式無線通信分野などの資源割当に適用できる。本発明は、特定の無線通信分野に限定または制限されて解釈されてはならず、本発明の思想が適用できる全ての技術分野を含むものとして解釈されなければならない。
【００１８】
アップリンク転送及びダウンリンク転送は、互いに異なる時間を使用して転送されるＴＤＤ（Time Division Duplex）方式が使われることができ、または互いに異なる周波数を使用して転送されるＦＤＤ（Frequency Division Duplex）方式が使用できる。
【００１９】
また、ＬＴＥ、ＬＴＥ−Ａのようなシステムでは、１つのキャリアまたはキャリア対を基準に、アップリンクとダウンリンクを構成して規格を構成する。アップリンクとダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などのような制御チャンネルを介して制御情報を転送し、ＰＤＳＣＨ（Physical Downlink Shared CHannel）、ＰＵＳＣＨ（Physical Uplink Shared CHannel）などのようなデータチャンネルで構成されてデータを転送する。
【００２０】
一方、ＴＤＤではダウンリンクとアップリンクとの時点が分かれるようになるが、多様なＴＤＤ設定が存在する場合、このような時点は多様化することができる。
【００２１】
以下の＜表１＞はＴＤＤ設定を示す表である。ＴＤＤ設定毎に異なるUL-DL subframe転送タイミングを有することを確認することができる。
【００２２】
【表１】
0005951789.tif 000002
【００２３】
＜表１＞で、１０個のサブフレーム（subframe）に該当するラジオフレーム（radio frame）で、Ｄと表示された領域はダウンリンクであり、Ｕと表示された領域はアップリンクである。Ｓはダウンリンクからアップリンクに切り換えられるサブフレーム（Downlink-to-Uplink Switch-point periodicity）である。
【００２４】
一方、ＴＤＤ設定のうちの１つの設定を使用するようになる場合、端末はどの時点でダウンリンクであり、どの時点でアップリンクであるかが予め分かる。このような情報は端末が予め予測して動作できるようにする。
【００２５】
一方、ＴＤＤ設定は各々のバンド（band）別に相異するように設定することができる。ところが、このような相異するように設定されたバンド内に含まれたキャリアを１つの端末が用いる場合がある。
【００２６】
図２は、本明細書の一実施形態によるインターバンド間のＣＡ環境を示す図である。
【００２７】
２１０は、２つのコンポーネントキャリアが構成されることを示すが、ＣＣ１ ２１１はｅＮＢから転送される高出力（high power）信号に相応するカバレッジを有するキャリアであり、ＣＣ２ ２１２はｅＮＢから転送される低出力（low power）信号に相応するカバレッジを有するキャリアである。ＣＣ１ ２１１及びＣＣ２ ２１２は、互いに異なるバンドに含まれたことを特徴とする。ＣＣ１ ２１１のＴＤＤ設定（TDD configuration）は１であり、２８１の通りであり、ＣＣ２ ２１２のＴＤＤ設定は２であり、２８２の通りである。一方、２１５はホットスポット（hot-spot）領域であって、ＣＣ１ ２１１及びＣＣ２ ２１２のＣＡ環境で構成されている。また、２１０度ＣＣ２カバレッジにあるＵＥのためにＣＡ構成が可能である。
【００２８】
ここで、２１５のホットスポットと通信を実行するユーザ端末は、ＣＣ１ ２１１及びＣＣ２ ２１２という相異するＴＤＤ設定があり、一部サブフレームにおいては、アップリンクサブフレームとダウンリンクサブフレームとがコンポーネントキャリア別に相異するように設定できる。
【００２９】
この場合、ユーザ端末がサポート可能な転送モードが半二重（Half Duplex）なのかまたは全二重（Full Duplex）なのかによって、サブフレーム別に動作方式が相異するようになる。
【００３０】
図３は、図２のインターバンド間のＣＡ環境下でユーザ端末の転送モードによってサブフレーム別動作方式を示す図である。ＣＣ１がＰＣｅｌｌ（Primary Cell）であり、ＣＣ２がＳＣｅｌｌ（Secondary Cell）の場合である。
【００３１】
図３の３１０は、ユーザ端末が半二重転送モードのみサポートされる場合、ラジオフレームのうち、３番目及び８番目のサブフレームにおいて、ＰＣｅｌｌのアップリンクサブフレームのみ動作し、ＳＣｅｌｌのダウンリンクサブフレームは動作しない、即ちＳＣｅｌｌの３番目及び８番目のサブフレームはミュートされたサブフレーム（muted subframe）として動作するようになる。３１０では、ダウンリンクとアップリンクとが互いに衝突するサブフレームでは、いずれか１つのサブフレームのみでダウンリンクまたはアップリンクのみ動作するように半二重転送モードで動作される。
【００３２】
一方、３２０はユーザ端末が全二重転送モードのみサポートされる場合、ラジオフレームのうち、３番目及び８番目のサブフレームにおいて、ＰＣｅｌｌのアップリンクサブフレームとＳＣｅｌｌのダウンリンクサブフレームとが全て動作される。即ち、全二重転送モードは送受信が同時に具現可能であるので（Simultaneous Tx/Rx）、ＰＣｅｌｌとＳＣｅｌｌの各々でのアップリンク／ダウンリンクが具現可能である。３２０では、ダウンリンクとアップリンクとが互いに衝突するサブフレームでも全二重転送モードで動作されるので、各々のダウンリンクまたはアップリンクサブフレームが全て動作される。
【００３３】
図４は、本明細書の一実施形態による相異するＴＤＤ設定がなされたバンドの間のＣＡを示す図である。
【００３４】
バンドＡ（Band A）４１０とバンドＢ（Band B）４２０内では、同一または衝突しないようにＴＤＤ設定される。したがって、バンドＡ４１０のコンポーネントキャリア（component carrier）ａはＬＴＥ方式で、ＴＤＤ設定１（TDD Configuration #１）として動作し、コンポーネントキャリアｂはＬＴＥ−Ａ方式で、ＴＤＤ設定１として動作する。そして、バンドＢ４２０のコンポーネントキャリアｃはＬＴＥ−Ａ方式で、ＴＤＤ設定２として動作する。一方、バンドＢ４２０のコンポーネントキャリアｄはＴＤ−ＳＣＤＭＡ方式で動作される。同一のバンドでは同一のＴＤＤ ＵＬ−ＤＬ設定になり、あるいはコンポーネントキャリアｃ、ｄのように互いに衝突しないように構成される。
【００３５】
この場合、コンポーネントキャリアｂとｃをＣＡとする端末の場合、ＴＤＤ設定が相異するようになり（inter-band CA with different UL-DL configurations）、端末は半二重転送モードなのか、あるいは全二重転送モードなのかによって、図３のように一部サブフレームがミュートされるか、あるいは同時に送受信（simultaneous Tx/Rx）を実行することができる。
【００３６】
したがって、インターバンド（inter-band）ＣＡ環境で該当端末がサポート可能な性能が半二重転送モードなのか、あるいは全二重転送モードなのかを確認し、確認された性能によって転送モードを決定することが効率を上げることができる。このために、本明細書ではユーザ端末がネットワークに接続または結合する時点で、ユーザ端末のサポート可能な転送モード情報をネットワークに提供する方式を提示しようとする。
【００３７】
以下、本明細書では半二重転送モードまたは全二重転送モードをサポートするユーザ端末がサポート可能な転送モード情報を提供する過程を説明する。前述したように、ＴＤＤシステムで互いに異なるバンド上で相異するＴＤＤ転送方式が設定された場合（different TDD configuration）に、この情報が有用に使用できる。
【００３８】
図４で説明したように、互いに異なるＴＤＤ ＵＬ−ＤＬ設定によってアップリンク／ダウンリンクが衝突して発生できるサブフレーム（conflicting subframe）に対する処理方法であって、端末の転送方式が全二重（Full duplex）方式の場合には同時に送受信が実行され、端末の転送方式が半二重（Half duplex）方式の場合には衝突するサブフレーム（conflicting subframe）でアップリンクまたはダウンリンクのうちのいずれか１つの方向のみに転送がなされる。
【００３９】
また、ユーザ端末がネットワークに結合する場合、このような情報をネットワークまたは基地局（ｅＮＢ）に提供できるようにする。
【００４０】
図５は、本明細書の一実施形態によるユーザ端末が基地局にユーザ端末の機能に関する情報を提供し、ＲＲＣ（Radio Resource Control）接続を実行する過程を示している。図５では、基地局の一実施形態にｅＮＢ５２０、ユーザ端末の一実施形態にＵＥ５１０を中心にして説明する。
【００４１】
ＵＥ５１０とｅＮＢ５２０は、ＵＥ５１０の機能をレポーティングする過程（UE Capability Reporting Procedure）を実行する（Ｓ５５０）。この過程で、ｅＮＢ５２０はＵＥ５１０がネットワークでどんな機能として動作可能であるかを確認するようになるが、このような機能のうち、本明細書で提示する全二重／半二重（Full duplex/Half duplex）転送モードが含まれる。そして、ｅＮＢ５２０はステップＳ５５０で取得したＵＥ５１０の情報を用いてＲＲＣ接続を実行する（RRC CONN. Establishment Procedure）（Ｓ５６０）。この過程でＰＣｅｌｌが設定できる。以後、ＳＣｅｌｌを追加（SCell(s) Configuration Procedure）するか、またはインターバンドＣＡを実行するなど、ＲＲＣ再設定過程（RRC Reconfiguration Procedure）を実行し（Ｓ５７０）、この際、インターバンドＣＡの場合、先のＳ５５０で取得したＵＥ５１０の転送モードに関する情報によって衝突するサブフレームにおいて、全二重方式で、あるいは半二重方式で転送するようになる（Ｓ５８０）。
【００４２】
図５のステップＳ５５０は、ＲＲＣ接続設定（RRC connection establishment）（Ｓ５６０）が始まる前にｅＮＢ５２０の要請によりＵＥ５１０が自身の機能（capability）をｅＮＢ５１０に転送するものである。即ち、本明細書ではステップＳ５５０にＵＥ５１０の転送モードに関する情報をｅＮＢ５２０に提供できるようにして、インターバンドＣＡで衝突するサブフレーム（conflicting subframe）で半二重（half duplex）または全二重（full-duplex）転送モードによってＵＥがＴＤＤシステムのインターバンドＣＡ環境でより効率的に信号を送受信できるようにする。
【００４３】
図５のステップＳ５５０を通じて特定のユーザ端末の半二重転送モードまたは全二重転送モードのためのシグナリングフロー（signaling flow）は、図６の通りである。
【００４４】
図６は、本明細書の一実施形態によるユーザ端末がネットワークに接続または結合する場合、ネットワークに端末の情報を提供する過程を示す。図６では、図５のステップＳ５５０をより詳しく説明するものであって、ＵＥの転送モード情報を共に提供する本明細書の実施形態を示している。ユーザ端末であるＵＥ６２０は、ネットワークであるＥＵＴＲＡＮ（Evolved UMTS Terrestrial Radio Access Network）６２０からＵＥの機能（capability）に関する情報の提供の要請を受ける（Ｓ６３０）。これは、UECapabilityEnquiryというメッセージを受信することによりなされて、以後、ユーザ端末は自身が提供することができる端末の機能に関する情報をUECapabilityInformationというメッセージを用いてネットワークに提供する（Ｓ６４０）。
【００４５】
Ｓ６４０で、UECapabilityInformationメッセージ内にＵＥ機能（capability）と転送モード（Half/Full duplex）に関する情報を含める実施形態を示している。
【００４６】
転送モードに関する情報をUE-EUTRA-Capabilityメッセージ内に含めて図５のステップＳ５５０のように、該当ＵＥの機能（capability）をｅＮＢに予めレポーティングしてインターバンドＣＡの相異するＴＤＤ設定でアップリンク／ダウンリンクが衝突するようになるサブフレームで転送モードをユーザ端末の性能に適合するように動作させることができる。
【００４７】
図６のシグナリングフローで、Ｓ６４０の手続（procedure）でＵＥ６１０が送信するメッセージ内のUECapabilityInformation IE（InformationElement）内に転送モードに関する情報を含めようとする。
【００４８】
以下、本明細書ではＵＥがｅＮＢに送信するメッセージ内に転送モードの情報を含める方式について説明する。
【００４９】
以下、転送モード情報を含めるようになる端末機能情報構造の一実施形態に、UECapabilityInformation IEを使用しようとする。また、以下に説明する転送モード情報は、インターバンド−ＣＡでＴＤＤ設定が相異する場合に、端末がサポートしようとする転送モードを意味する。これは、全二重転送モードが可能な端末といっても、インターバンド−ＣＡでＴＤＤ設定が異なる場合、半二重転送モードを採択することができる。この場合には、該当端末が全二重転送モードとしてもインターバンド−ＣＡでＴＤＤが相異するように設定された状況では半二重転送モードで動作するものを含む。
【００５０】
図７は、本明細書の一実施形態による転送モード情報をUECapabilityInformation IE内に追加フィールドとして具現する図である。
【００５１】
７１０は、UECapabilityInformation IEの構成を示している。UECapabilityInformation IEを構成するフィールドに、accessStratumRelease、ue-Category、pdcp-Parametersなどがあり、本明細書の一実施形態に従って７２０のように、“CA-FullDuplex-InterbandTDD”というフィールドをさらに含む。これをより詳細に説明すると、次の通りである。
【００５２】
【表２】
0005951789.tif 000003
【００５３】
CA-FullDuplex-InterbandTDDはブーリアン（Boolean）値を有するfullduplex-InterbandTDDフィールドを含んでいる。fullduplex-InterbandTDDフィールドの値が真（true）に設定した端末機能情報構造が含まれたメッセージが送信される場合、該当端末はインターバンドＣＡ環境で全二重方式により転送可能であることを意味する。反対に、fullduplex-InterbandTDDフィールドの値が偽（false）に設定した端末機能情報構造が含まれたメッセージが送信される場合、該当端末はインターバンドＣＡ環境で半二重方式により転送可能であることを意味する。
【００５４】
勿論、７２０とは異なり、ブーリアン値のフィールド１つのみで設定することもできる。例えば、CA-FullDuplex-InterbandTDDというフィールドをシーケンス（Sequence）で構成せず、ブーリアン値にして次の通り設定可能である。
【００５５】
【表３】
0005951789.tif 000004
【００５６】
前述したように、別途のフィールドを端末機能情報構造であるUECapabilityInformation IEに含めて端末が転送モードに関する情報をネットワーク／基地局に提供することができる。CA-FullDuplex-InterbandTDDは特定端末のみ選択的に追加して転送するように構成できる。例えば、ＴＤＤインターバンドＣＡ環境で衝突するサブフレームで半二重転送モードのみをサポートするか、あるいは全二重転送モードをサポートするが、半二重転送モードで動作しようとするＵＥは、UECapabilityInformationにCA-FullDuplex-InterbandTDDフィールドを追加し、このフィールドの情報が半二重転送モードであることを表すように設定して、ｅＮＢにレポーティングすることができる。
【００５７】
このようなCA-FullDuplex-InterbandTDD情報は、ＴＤＤシステムで互いに異なるＴＤＤ−ＵＬ／ＤＬ設定されたインターバンドＣＡが可能なＵＥのみに有効なシグナリング情報になることができる。即ち、インターバンドＣＡをサポートしないＵＥは、CA-FullDuplex-InterbandTDD情報を設定する必要がない。
【００５８】
CA-FullDuplex-InterbandTDDフィールドをUECapabilityInformation IEに追加して該当ＵＥがＴＤＤ−インターバンドＣＡ環境で衝突するサブフレーム上で半二重転送モードをサポートするか、あるいは全二重転送モードをサポートするかをｅＮＢにレポーティングして、今後、該当ＵＥのインターバンドＣＡ上で互いに異なるＴＤＤ設定が可能であるようにサポートする。
【００５９】
図８は、本明細書の他の実施形態による、UECapabilityInformation IE内にUE-Category値を再調整して転送モードを設定するための設定値を示す図である。
【００６０】
図８の（ａ）では、図７の７５０のUE-Categoryの値を用いて転送モードを設定することができる。例えば、UE-Categoryは整数（integer）値に設定できるが、このような整数値が指示するカテゴリーは１乃至８であり、ユーザ端末のサポート可能なダウンリンクとアップリンク機能（または、性能）（capability）を指示する。
【００６１】
図８の（ａ）のように、カテゴリーの数字を全二重転送モードと半二重転送モードによって分けられるようにする。即ち、カテゴリー１乃至８（category１〜８）は全二重方式のＵＥのカテゴリーを設定し、カテゴリー９乃至１６（category９〜１６）は半二重方式のＵＥのカテゴリーを設定するように具現する。その結果、UECapabilityInformation IE内に別途のフィールドを追加せず、ＵＥの転送モードに関する情報を提供することができる。また、図９で“UE-EUTRA-Capability-v1020-IEs”内のカテゴリー設定フィールドである“UE-Category-v1020”の値を図８の（ａ）の方式により設定することもできる。図８の（ａ）で、どの領域のカテゴリーを全二重方式にするかは多様に設定することができる。例えば、図８の（ａ）とは異なり、カテゴリー１〜８は半二重方式をインターバンドＣＡでサポートすることに設定し、カテゴリー９〜１６は全二重方式をインターバンドＣＡでサポートすることに設定することができる。
【００６２】
図８の（ｂ）では、全二重方式（Full-duplex）をサポートするかに関する情報を１つのフィールド（Support For Full-Duplex For interband CA）に置いて設定することができる。
【００６３】
即ち、図８の（ｂ）で、インターバンドＣＡ環境での全二重転送をサポートするかに関する情報を知らせる“Support For Full-Duplex For interband CA”フィールドを用いて、ユーザ端末はカテゴリー１〜１６のうち、端末のいろいろな機能及びインターバンドＣＡでの全二重転送のサポート機能を考慮して、カテゴリー情報を選択して基地局／ネットワークに転送することができる。
【００６４】
図７乃至図８の方式は、端末機能情報構造であるUECapabilityInformationを構成するフィールドにＵＥの転送モード情報を含めるものである。以後、説明しようとする本明細書の他の実施形態はサポートされるバンドの結合（band combination）に従って該当ＵＥの機能（capability）、例えば、衝突するサブフレームでの全二重／半二重転送モードに関する情報を転送するものである。
【００６５】
以下、図９乃至図１２では、UE Capability情報にはＤＬまたはＵＬに対するＣＡ情報が独立的に適用されることができ、これとは異なり、独立的にサブフレーム別に全二重／半二重転送モードを設定することができる。このために、以下、図９乃至図１２ではバンドによって、そしてダウンリンク／アップリンクによって値を異ならせて設定するための方式を説明する。
【００６６】
ＵＥの転送モード情報は別途のUE-EUTRA-Capability-v1100-IEsを構成して、これに含まれるようにすることができる。例えば、次のようにUE-EUTRA-Capability-v1100-IEsを定義し、ここでRF-Parameters-v1100フィールドを含むように構成することができる。
【００６７】
以下のUE-EUTRA-Capability-v11xx-IEは、UE-EUTRA-Capability-v1100-IEsを含むものであって、その構成は次の通りである（xxはRel.11で変化可能な全てのバージョンを包括するか、またはこのようなバージョンに適用可能であることを意味する）。
【００６８】
【表４】
0005951789.tif 000005
【００６９】
UE-EUTRA-Capability-v11xx-IEsにはrfParameters-v11xxがある。即ち、次の通り具現可能である。V11xxをv1100にすれば、次の通りである。
【００７０】
【表５】
0005951789.tif 000006
【００７１】
図９は、本明細書の更に他の実施形態によるＵＥがサポートするバンド結合内にサポート可能なＵＥの転送モード情報を含める例を示す図である。図９の９１０は、先の図７で説明したUECapabilityInformation（７１０）である。そのうち、“UE-EUTRA-Capability-v11xx-IEs”は“nonCriticalExtension”（９２０）の拡張された情報である。“nonCriticalExtension”（９２０）は、“UE-EUTRA-Capability-v920-IEs”の“nonCriticalExtension”（９３０）及び“UE-EUTRA-Capability-v940-IEs”の“nonCriticalExtension”（９４０）、そして“UE-EUTRA-Capability-v1020-IEs”の“nonCriticalExtension”（９４５）を通じて指示される。
【００７２】
“UE-EUTRA-Capability-v11xx-IEs”を構成するフィールドのうち、“rf-Parameters-v11xx”（９５０）を用いてＵＥがサポート可能な、あるいは使用しようとする転送モードを確認することができる。即ち、“rf-Parameters-v11xx”（９５０）フィールドを構成するタイプは“RF-Parameters-v11xx”であるので、本明細書では“RF-Parameters-v11xx”を構成するフィールドにＵＥがサポートするバンド結合内にサポート可能なＵＥの転送モード情報を含めようとする。これに対する詳細な構成は図１０に提示されている。
【００７３】
図１０は、図９のRF-Parameters-v11xx内にサポート可能なＵＥの転送モード情報を含めた実施形態である。
【００７４】
“RF-Parameters-v11xx”は“supportedBandCombination-r11”というフィールドからなり、このフィールドのタイプ（type）は“SupportedBandCombination-r11”である。また、このタイプは“BandCombinationParameters-r11”で構成され、これはまた“BandParameters-r11”で構成される。
【００７５】
“BandParameters-r11”（１０１０）の構成はバンドに関する情報である“bandEUTRA-r11”フィールドと、アップリンクバンドのパラメータである“bandParametersUL-r11”、そしてダウンリンクバンドのパラメータである“bandParametersDL-r11”で構成されており、これらは各々１０２０、１０３０のように、“CA-MIMO-ParametersUL-r11”及び“CA-MIMO-Parameters DL-r11”の情報を含む。
【００７６】
本明細書の実施形態を適用するために、“CA-MIMO-ParametersUL-r11”及び“CA-MIMO-ParametersDL-r11”内に“CA-SimultaneousTxRx-r11”タイプのフィールドである“ca-SimultaneousTxRx-CapabilityUL-r11”及び“ca-SimultaneousTxRx-Capability DL-r11”を含めて、これは１０４０のように{Half Duplex、Full Duplex}のうち、いずれか１つの値を有するように具現することができる。
【００７７】
図９及び図１０のように、該当ＵＥがサポートするバンド結合（band combination）内に定義されている該当バンドでサポート可能な、あるいは動作しようとするＵＥの機能（capability）部分に転送モード（half duplexまたはfull duplex）に関する情報を追加して該当ＵＥがインターバンド−ＣＡ−ＴＤＤモードで衝突するサブフレーム上でサポートできるＵＥ機能をレポーティングする。その結果、バンド別／ＣＣ別／ＤＬ−ＵＬ別ＵＥの転送モードを設定することができる。
【００７８】
したがって、ＵＥのＤＬとＵＬ上で、ＣＡ（Carrier aggregation）の機能に従って該当ＵＥが各々の方向から半二重転送モードをサポートするか、全二重転送モードをサポートするかをシグナリングすることができる。
【００７９】
即ち、該当バンドで該当ＵＥがサポートすることができるＣＡ機能（carrier aggregation capability）フィールド内に新しく転送モード（half duplexまたはfull duplex）に関する情報を追加してＵＥ機能をレポーティングすることができる。
【００８０】
図１１は、本明細書の更に他の実施形態による、ＵＥがサポートするバンド結合内にサポート可能なＵＥの転送モード情報を含める例を示す図である。図９及び図１０とは異なり、バンド結合情報（SupportedBandCombination-r11）を別途に含めている。
【００８１】
１１１０のように、“RF-Parameters-v1020”に“nonCriticalExtension”フィールドを置いて“RF-Parameters-v1100”フィールドの情報を指示する。また、“RF-Parameters-v1100”フィールドは１１２０のように“supportedBandCombination-r11”フィールドを含むが、このフィールド“SupportedBandCombination-r11”の構成フィールドは１１３０のように“bandCombinationParameters-r10”及び“fullDuplex-Capability-r11”フィールドを含む。“fullDuplex-Capability-r11”フィールドは、１１４０のように{Half Duplex、Full Duplex}のうち、いずれか１つの値を有するように具現することができる。
【００８２】
該当ＵＥがサポートするバンド結合（band combination）に従って該当ＵＥが半二重転送モードをサポートするか、全二重転送モードをサポートするか、あるいは特定の転送モードを使用しようとするかを図１１の“fullDuplex-Capability-r11”値を用いて指示することができる。
【００８３】
即ち、新しく定義された新しいバンド結合情報に転送モード（half duplexまたはfull duplex）に関する情報を含めてｅＮＢに転送できるようにして、該当ＵＥのＵＥ機能をレポーティングすることができる。図１１のRF-Parameters-v1100フィールドは新しいUE-EUTRA-Capability-v1110-IEsに含まれるように具現することができる。
【００８４】
図１２は、本明細書の更に他の実施形態による、ＴＤＤシステムのために新しくサポートされるバンド結合を別に指定して転送モードを設定する図である。図９乃至図１１とは異なり、ＴＤＤシステムのために新しくサポートされるバンド結合（band combination）を別途に指定して該当ＴＤＤのためにサポートされるバンド結合フィールドに転送モード（half duplexまたはfull duplex）に関する情報を追加してレポーティングする。
【００８５】
１２１０のように、“RF-Parameters-v1020”に“nonCriticalExtension”フィールドを置いて“RF-Parameters-v1100”フィールドの情報を指示する。また、“RF-Parameters-v1100”フィールドは、１２２０のように“supportedBandCombinationFDD-r11”または“supportedBandCombinationTDD-r11”フィールドを含み、これらフィールドは１２３０のようなタイプで定義される。
【００８６】
ＴＤＤの場合、適用されるタイプである“SupportedBandCombinationTDD-r11”は１２３０に表すように、“fullDuplex-Capability-r11”を含んでおり、このフィールドは１２４０のように{Half Duplex、Full Duplex}のうち、いずれか１つの値を有するように具現することができる。
【００８７】
該当ＵＥがサポートするバンド結合（band combination）に従って該当ＵＥが半二重転送モードをサポートするか、全二重転送モードをサポートするか、あるいは特定の転送モードを使用しようとするかを図１２の“fullDuplex-Capability-r11”値を用いて指示することができる。
【００８８】
即ち、新しく定義された新しいバンド結合情報に転送モード（half duplexまたはfull duplex）に関する情報を含めてｅＮＢに転送できるようにして、該当ＵＥのＵＥ機能をレポーティングすることができる。図１２のRF-Parameters-v1100フィールドは新しいUE-EUTRA-Capability-v1110-IEsに含まれるように具現することができる。
【００８９】
図１３は、本明細書の一実施形態によるインターバンドＣＡ環境を示す図である。図１３で、バンドＡ １３１０のＴＤＤ設定（TDD uplink-downlink configuration）は＃０であり、バンドＢ １３２０のＴＤＤ設定は＃１であり、これによって、各々のＣＣであるＣＣ０、ＣＣ１のＴＤＤ設定及びＣＣ２、ＣＣ３のＴＤＤ設定は相異する。図１３のインターバンドＣＡ／ＴＤＤ設定が相異するＣＣを使用する例示にＣＣ０−ＣＣ２を使用したり、ＣＣ１−ＣＣ３を使用したり、あるいはＣＣ１−ＣＣ２を使用したり、ＣＣ０−ＣＣ３を使用したりする場合を仮定することができる。図５及び図６のＵＥ機能に関する情報を知らせるプロシージャ（Ｓ５５０、Ｓ６４０）は、先の図７乃至図１２の方式を用いてｅＮＢまたはＥＵＴＲＡＮに提供できる。
【００９０】
図１４は、本明細書の一実施形態による図７の方式によりＵＥの機能のうち、インターバンドＣＡ環境で転送モードが全二重方式なのか、半二重方式なのかに関する情報を転送する図である。図１４では、UECapabilityEnquiryメッセージをＵＥ１４１０が受信し、これに対する応答としてUECapabilityInformationメッセージを送信する。この過程で、ＵＥはＥＵＴＲＡＮまたはｅＮＢ１４２０とメッセージを送受信する。
【００９１】
図１４のUECapabilityEnquiryメッセージの構造を説明すると、次の通りである。
【００９２】
【表６】
0005951789.tif 000007
【００９３】
図１４のＳ１４３０で、ＥＵＴＲＡＮ１４２０からＵＥ１４１０はUECapabilityEnquiryメッセージを受信するようになるが、このメッセージに含まれたフィールドのうち、“ue-CapabilityRequest”にＲＡＴ−タイプに関する情報を受信するようになる。そして、ＵＥ１４１０はこれに対する応答として、UE Capability Informationメッセージを送信するようになるが、このメッセージにはインターバンドＣＡ環境（ＴＤＤ設定が相異する場合）での転送モードに関する情報を送信するために、図７のメッセージ構造が含まれることができる。これは、１４４２及び１４４３のように構成できる。１４４２は、図７の７２０のように別途のフィールドを置いて、ＵＥ１４１０がインターバンドＣＡ環境（ＴＤＤ設定が相異する場合）において全二重転送モードで動作されることを知らせる。即ち、UE-EUTRA-Capabilityメッセージのうち、CA-Full Duplex-InterbandTDDフィールドのfullduplex-InterbandTDD値をＴＲＵＥに設定して、これをネットワークまたは基地局に知らせることができる。勿論、１４４２とは異なり、次のようにフィールド内に変数を置く方式でなく、UE-EUTRA-Capabilityメッセージ内に直接に値を含めることもできる。例えば、以下のように構成できる。
【００９４】
【表７】
0005951789.tif 000008
【００９５】
一方、図７の７５０のように、ue-Categoryの値を用いて転送モードに関する情報を送信できるが、この実施形態は１４４３の通りである。先の図８のテーブルを参照して、全二重転送モード（Full-Duplex）のうち、該当するカテゴリー値（CATEGORY 7）を選択して送信する。仮に、半二重転送モード（Half-Duplex）に該当する場合、これに該当するカテゴリー値（CATEGORY 15）を設定して送信することができる。
【００９６】
図１５は、本明細書の他の実施形態による図９及び図１０の方式によりＵＥの機能のうち、インターバンドＣＡ環境で転送モードが全二重方式なのか、半二重方式なのかに関する情報を転送する図である。Ｓ１５３０は、図１４のＳ１４３０と同一の方式、またはこれと類似の方式により具現できる。
【００９７】
図１５のＳ１５４０では、図９及び図１０のように、UE-EUTRA-Capability（１５４２）メッセージを用いて全二重／半二重転送モードに関する情報を提供する。先の図９の９２０、９３０、９４０、９５０フィールドに指示される部分は、図１５の１５４３、１５４４、１５４５に表れている。１５４３は図９の９２０（nonCriticalExtension）が指示するUE-EUTRA-Capability-v920-IEsの構成であり、１５４４は図９の９３０（nonCriticalExtension）が指示するUE-EUTRA-Capability-v940-IEsの構成であり、１５４５は図９の９４０（nonCriticalExtension）が指示するUE-EUTRA-Capability-v1020-IEsの構成であり、１５４６は図９の９４５（nonCriticalExtension）が指示するUE-EUTRA- Capability-v11xx-IEsの構成であり、１５４７は図９の９５０（rf-Parameters-v11xx）が指示する図１０のRF-Parameters-v11xxの構成を示している。ここで、RF-Parameters-v11xxではサポートされるバンドの情報を“supportedBandCombination-r11”フィールド内に含める。これは、図１０の１０１０、１０２０、１０３０、及び１０４０を通じて本明細書の一実施形態で具現できる。
【００９８】
その結果、１５４７には図１３の２つのバンドに対するバンド情報を含むようになる。これに対しては図１６でより詳細に提示されている。
【００９９】
図１６は、図１５に続いて、“supportedBandCombination-r11”フィールド内のバンド情報を用いて図９及び図１０で説明したように、ＵＥの機能のうち、インターバンドＣＡ環境で転送モードが全二重方式なのか、半二重方式なのかに関する情報を転送する図である。
【０１００】
図１６は、図１５の１５４６の“supportedBandCombination-r11”フィールド内に図１３の２つのバンド（バンドＡ、バンドＢ）に対するバンド情報を含むものであって、細部内容はバンドＡに対するバンド情報である１６１０、バンドＢに対するバンド情報である１６２０で構成される。そして、各々のバンドに関する情報は１６１０、１６２０に提示されたように、アップリンク／ダウンリンクに関連して、bandParametersUL-r11及びbandParametersDL-r11フィールド（１６１２、１６１４、１６２２、１６２４）を用いて、このフィールドのうち、本明細書で提示する全二重／半二重転送モードに関する情報が各々ca-SimultaneousTxRx-CapabilityUL-r11フィールド及びca-SimultaneousTxRx- CapabilityDL-r11に含まれる。図１６では、バンドＡ及びバンドＢに対しては半二重転送モードに設定されている。しかしながら、具現上でＤＬとＵＬとを独立的に設定することができる。例えば、図１６のバンドＡとバンドＢのＵＬは半二重モードに設定し、バンドＡとバンドＢのＤＬは全二重モードに設定するように具現することができる。
【０１０１】
図１７は、本明細書の更に他の実施形態による図１１の方式でＵＥの機能のうち、インターバンドＣＡ環境で転送モードが全二重方式なのか、半二重方式なのかに関する情報を転送する図である。Ｓ１７３０は、図１４のＳ１４３０、図１５のＳ１５３０と同一の方式、またはこれと類似の方式で具現できる。
【０１０２】
Ｓ１７４０では、図１１のように、UE-EUTRA-Capability（１７４２）メッセージを用いて全二重／半二重転送モードに関する情報を提供する。先の図９の９２０、９３０、９４０、９５０フィールドに指示される部分は、図１７の１７４３、１７４４、１７４５に表れており、これは図１５の１５４３、１５４４、１５４５と同一であり、これに対する説明は図１５の説明をもって代わりにしようとする。
【０１０３】
図１１で説明したように、１７４５のrf-Parameters-v1020の構成に１７４６のように、新しいフィールド“nonCriticalExtension”を追加し、このフィールドのタイプは、１７４７のように“RF-Parameters-v1100”にし、かつこれを構成するフィールドに“supported BandCombination-r11”で指示され、ここに１７４８のようにfullDuplex-Capability-r11=“Full duplex”のように値を設定して全二重転送モードであることをＥＵＴＲＡＮ／ｅＮＢ（１７２０）に提供することができる。
【０１０４】
図１８は、本明細書の更に他の実施形態による図１２の方式によりＵＥの機能のうち、インターバンドＣＡ環境で転送モードが全二重方式なのか、半二重方式なのかに関する情報を転送する図である。Ｓ１８３０は、図１４のＳ１４３０、図１５のＳ１５３０、図１７のＳ１７３０のような方式、またはこれと類似の方式で具現できる。
【０１０５】
Ｓ１８４０では、図１２のように、UE-EUTRA-Capability（１８４２）メッセージを用いて全二重／半二重転送モードに関する情報を提供する。先の図９の９２０、９３０、９４０、９５０フィールドに指示される部分は、図１８の１８４３、１８４４、１８４５に表れており、これは図１５の１５４３、１５４４、１５４５と同一であり、これに対する説明は図１５の説明をもって代わりにしようとする。
【０１０６】
図１２で説明したように、１８４５のrf-Parameters-v1020の構成に１８４６のように、新しいフィールド“nonCriticalExtension”を追加し、このフィールドのタイプは、１８４７のように“RF-Parameters-v1100”にし、かつこれを構成するフィールに該当バンドがＴＤＤの場合、“supportedBandCombinationTDD-r11”フィールドを用いて、これはまた１８４８のように、SupportedBandCombinationTDD-r11タイプで、このタイプのうち、fullDuplex-Capability-r11=“Half duplex”のように値を設定して全二重転送モードであることをＥＵＴＲＡＮ／ｅＮＢ（１８２０）に提供することができる。
【０１０７】
一方、UE-EUTRA-Capability-v1100-IEsを使用する場合であれば、図１７及び図１８の構成は図１９のように具現できる。
【０１０８】
図１９は、本明細書の更に他の実施形態による図１１及び図１２の方式によりＵＥの機能のうち、インターバンドＣＡ環境で転送モードが全二重方式なのか、半二重方式なのかに関する情報を転送する図である。Ｓ１９３０は、図１４のＳ１４３０、図１５のＳ１５３０と同一の方式、またはこれと類似の方式で具現できる。
【０１０９】
Ｓ１９４０では、図１１及び図１２のように、UE-EUTRA-Capability（１９４２）メッセージを用いて全二重／半二重転送モードに関する情報を提供する。一方、図１９では別途のUE-EUTRA-Capability-v1100-IEsを１９４６のように置いて、UE-EUTRA-Capability -v1100-IEsの構成要素のうち、rf-Parameters-v1100フィールドで１９５３／１９５４のように全二重転送モードまたは半二重転送モードを指示するようにすることができる。１９５３は図１７の実施形態を示しており、１９５４は図１８の実施形態を示している。
【０１１０】
図２０は、本明細書の一実施形態によるインターバンドＴＤＤ転送方式におけるユーザ端末の転送モード情報を受信する過程を示す図である。
【０１１１】
図２０は、互いに相異するＴＤＤ（Time Division Duplex）設定の２つ以上のバンドを制御する基地局、または基地局と結合した装置で実行できる。まず、基地局はユーザ端末にユーザ端末の機能を要請するメッセージを送信する（Ｓ２０１０）。送信するメッセージの構成には前述したUECapabilityEnquiryを使用することができる。そして、ユーザ端末からメッセージに対する応答として、２つ以上のバンドでのユーザ端末の転送モード機能情報を含むユーザ端末機能情報メッセージを受信する（Ｓ２０２０）。
【０１１２】
転送モード機能情報は、ユーザ端末が２つ以上のバンドで全二重（Full-duplex）モードで動作可能か、または半二重（Half-duplex）モードで動作可能かに関する情報を含み、転送モード機能情報が含まれる方式、あるいはこれを用いた具現過程は図７乃至図１８で説明した。
【０１１３】
図７、図８、及び図１４で説明した方式で、ユーザ端末機能情報メッセージを構成するUE-EUTRA-Capability情報エレメント（Information Element）に転送モード機能情報に全二重または半二重転送モードを直接指示するフィールドが含まれるか、またはフィールドを指示するフィールドを含むことができる。これは、特定のフィールドを用いてユーザ端末の転送モードを知らせる方式である。また、ユーザ端末機能情報メッセージを構成するUE-EUTRA-Capability情報エレメント（Information Element）のフィールドのうち、カテゴリーを指示するue-Categoryの値を用いて転送モード機能情報を指示することもできる。
【０１１４】
また、図８、図１０、図１１、図１２、図１５、図１６、図１７、図１８、及び図１９で説明した方式で、ユーザ端末機能情報メッセージを構成するUE-EUTRA-Capability情報エレメント（Information Element）で拡張されるフィールドである“UE-EUTRA-Capability-v1020-IEs”で、２つ以上のバンドに関する情報を設定するフィールド内に転送モード機能情報を含めるように具現することができる。この場合、該当バンドまたは該当コンポーネントキャリアでサポート可能な転送モードを制御することができる。
【０１１５】
基地局は、転送モード機能が半二重転送モードなのか（Ｓ２０３０）否かを確認して、ユーザ端末情報メッセージの転送モード機能情報に一致するようにユーザ端末のコンポーネントキャリアアグリゲーション環境を設定する。即ち、図７、図８、及び図１４で説明したように、ユーザ端末に対して転送モード機能情報が設定された場合、該当ユーザ端末と半二重モードまたは全二重モードで送受信するようになる（Ｓ２０４０、Ｓ２０５０）。
【０１１６】
一方、図８、図１０、図１１、図１２、図１５、図１６、図１７、図１８、及び図１９で説明したように、バンドまたはコンポーネントキャリア別に転送モード機能情報が設定された場合、該当ユーザ端末と各バンド／コンポーネントキャリア別に設定されたところによって、半二重モードまたは全二重モードで送受信するようになる（Ｓ２０４０、Ｓ２０５０）。
【０１１７】
半二重モードで送受信する場合、衝突するサブフレームに対してはミューティングすることを知らせる情報を基地局がユーザ端末に送信することができる。
【０１１８】
図２１は、本明細書の一実施形態によるインターバンドＴＤＤ転送方式におけるユーザ端末の転送モード情報を送信する過程を示す図である。
【０１１９】
図２１は、互いに相異するＴＤＤ（Time Division Duplex）設定の２つ以上のバンドを制御する基地局またはネットワークとデータを送受信するようになるユーザ端末またはユーザ端末と結合された装置で実行できる。まず、ユーザ端末が互いに相異するＴＤＤ（Time Division Duplex）設定の２つ以上のバンドを制御するネットワークまたは基地局から、ユーザ端末の機能を要請するメッセージを受信する（Ｓ２１１０）。受信するメッセージの構成には、前述したUECapabilityEnquiryを使用することができる。ユーザ端末は、２つ以上のバンドでのユーザ端末の転送モード機能情報を含むユーザ端末機能情報メッセージを生成するようになる（Ｓ２１２０）。
【０１２０】
転送モード機能情報は、ユーザ端末が２つ以上のバンドで全二重（Full-duplex）モードで動作可能か、または半二重（Half-duplex）モードで動作可能かに関する情報を含み、転送モード機能情報が含まれる方式、あるいはこれを用いた具現過程は図７乃至図１８で説明した。
【０１２１】
図７、図８、及び図１４で説明した方式で、ユーザ端末機能情報メッセージを構成するUE-EUTRA-Capability情報エレメント（Information Element）に転送モード機能情報に全二重または半二重転送モードを直接指示するフィールドが含まれるか、またはフィールドを指示するフィールドを含むことができる。これは、特定のフィールドを用いてユーザ端末の転送モードを知らせる方式である。また、ユーザ端末機能情報メッセージを構成するUE-EUTRA-Capability情報エレメント（Information Element）のフィールドのうち、カテゴリーを指示するUE-Categoryの値を用いて転送モード機能情報を指示することもできる。
【０１２２】
また、図８、図１０、図１１、図１２、図１５、図１６、図１７、図１８、及び図１９で説明した方式で、ユーザ端末機能情報メッセージを構成するUE-EUTRA-Capability情報エレメント（Information Element）で拡張されるフィールドである“UE-EUTRA-Capability-v1020-IEs”で、２つ以上のバンドに関する情報を設定するフィールド内に転送モード機能情報を含めるように具現することができる。この場合、該当バンドまたは該当コンポーネントキャリアでサポート可能な転送モードを制御することができる。
【０１２３】
そして、ユーザ端末はネットワークまたは基地局にメッセージに対する応答として、ユーザ端末機能情報メッセージを送信する（Ｓ２１３０）。
【０１２４】
以後、送信された転送モード機能情報によって、ネットワークまたは基地局とデータを送受信するようになる。即ち、転送モード機能が半二重転送モードの場合（Ｓ２１４０）と、そうでない場合によって、送受信方式を設定する。即ち、図７、図８、及び図１４で説明したように、ユーザ端末の転送モード機能情報が設定された場合、ユーザ端末は基地局／ネットワークと半二重モードまたは全二重モードで送受信するようになる（Ｓ２１５０、Ｓ２１６０）。
【０１２５】
一方、図８、図１０、図１１、図１２、図１５、図１６、図１７、図１８、及び図１９で説明したように、バンドまたはコンポーネントキャリア別に転送モード機能情報が設定された場合、ユーザ端末は基地局と各バンド／コンポーネントキャリア別に設定されたところによって、半二重モードまたは全二重モードで送受信するようになる（Ｓ２１５０、Ｓ２１６０）。
【０１２６】
半二重モードで送受信する場合、衝突するサブフレームに対してはミューティングすることを知らせる情報を基地局からユーザ端末が受信することができる。
【０１２７】
図２２は、本明細書の一実施形態によるインターバンドＴＤＤ転送方式におけるユーザ端末の転送モード情報を受信する装置の構成を示す図である。
【０１２８】
２２００は、互いに相異するＴＤＤ（Time Division Duplex）設定の２つ以上のバンドを制御する基地局、または基地局と結合した装置を指示することができる。便宜上、図２２で２２００は基地局を一実施形態にして説明しようとする。構成要素は、送信部２２１０、制御部２２２０及び受信部２２３０である。
【０１２９】
送信部２２１０は、ユーザ端末にユーザ端末の機能を要請するメッセージを送信する。送信するメッセージの構成には、前述したUECapabilityEnquiryを使用することができる。そして、受信部２２３０はユーザ端末からメッセージに対する応答として、２つ以上のバンドでのユーザ端末の転送モード機能情報を含むユーザ端末機能情報メッセージを受信する。
【０１３０】
転送モード機能情報は、ユーザ端末が２つ以上のバンドで全二重（Full-duplex）モードで動作可能か、または半二重（Half-duplex）モードで動作可能かに関する情報を含み、転送モード機能情報が含まれる方式、あるいはこれを用いた具現過程は図７乃至図１８で説明した。
【０１３１】
図７、図８、及び図１４で説明した方式で、ユーザ端末機能情報メッセージを構成するUE-EUTRA-Capability情報エレメント（Information Element）に転送モード機能情報に全二重または半二重転送モードを直接指示するフィールドが含まれるか、フィールドを指示するフィールドを含むことができる。これは、特定のフィールドを用いてユーザ端末の転送モードを知らせる方式である。また、ユーザ端末機能情報メッセージを構成するUE-EUTRA-Capability情報エレメント（Information Element）のフィールドのうち、カテゴリーを指示するue-Categoryの値を用いて転送モード機能情報を指示することもできる。
【０１３２】
また、図８、図１０、図１１、図１２、図１５、図１６、図１７、図１８、及び図１９で説明した方式で、ユーザ端末機能情報メッセージを構成するUE-EUTRA-Capability情報エレメント（Information Element）で拡張されるフィールドである“UE-EUTRA-Capability-v1020-IEs”で、２つ以上のバンドに関する情報を設定するフィールド内に転送モード機能情報を含めるように具現することができる。この場合、該当バンドまたは該当コンポーネントキャリアでサポート可能な転送モードを制御することができる。
【０１３３】
制御部２２２０は、転送モード機能が半二重転送モードなのか否かを確認して、ユーザ端末情報メッセージの転送モード機能情報に一致するようにユーザ端末のコンポーネントキャリアアグリゲーション環境を設定する。即ち、図７、図８、及び図１４で説明したように、ユーザ端末に対して転送モード機能情報が設定された場合、該当ユーザ端末と半二重モードまたは全二重モードで送受信するようになる。
【０１３４】
一方、図８、図１０、図１１、図１２、図１５、図１６、図１７、図１８、及び図１９で説明したように、バンドまたはコンポーネントキャリア別に転送モード機能情報が設定された場合、該当ユーザ端末と各バンド／コンポーネントキャリア別に設定されたところによって、半二重モードまたは全二重モードで送受信するようになる。
【０１３５】
半二重モードで送受信する場合、衝突するサブフレームに対してはミューティングすることを知らせる情報を基地局がユーザ端末に送信することができる。
【０１３６】
図２３は、本明細書の一実施形態によるインターバンドＴＤＤ転送方式におけるユーザ端末の転送モード情報を送信する装置の構成を示す図である。
【０１３７】
２３００は、互いに相異するＴＤＤ（Time Division Duplex）設定の２つ以上のバンドを制御する基地局、またはネットワークとデータを送受信するようになるユーザ端末、またはユーザ端末と結合された装置を指示する。以下、ユーザ端末と仮定して各構成要素について説明する。構成要素は、送信部２３１０、制御部２３２０及び受信部２３３０である。
【０１３８】
受信部２３３０は、互いに相異するＴＤＤ（Time Division Duplex）設定の２つ以上のバンドを制御するネットワークまたは基地局から、ユーザ端末の機能を要請するメッセージを受信する。受信するメッセージの構成には、前述したUECapabilityEnquiryを使用することができる。制御部２３２０は、２つ以上のバンドでのユーザ端末の転送モード機能情報を含むユーザ端末機能情報メッセージを生成するようになる。
【０１３９】
転送モード機能情報は、ユーザ端末が２つ以上のバンドで全二重（Full-duplex）モードで動作可能か、または半二重（Half-duplex）モードで動作可能かに関する情報を含み、転送モード機能情報が含まれる方式、あるいはこれを用いた具現過程は図７乃至図１８で説明した。
【０１４０】
図７、図８、及び図１４で説明した方式で、ユーザ端末機能情報メッセージを構成するUE-EUTRA-Capability情報エレメント（Information Element）に転送モード機能情報に全二重または半二重転送モードを直接指示するフィールドが含まれるか、またはフィールドを指示するフィールドを含むことができる。これは、特定のフィールドを用いてユーザ端末の転送モードを知らせる方式である。また、ユーザ端末機能情報メッセージを構成するUE-EUTRA-Capability情報エレメント（Information Element）のフィールドのうち、カテゴリーを指示するue-Categoryの値を用いて転送モード機能情報を指示することもできる。
【０１４１】
また、図８、図１０、図１１、図１２、図１５、図１６、図１７、図１８、及び図１９で説明した方式で、ユーザ端末機能情報メッセージを構成するUE-EUTRA-Capability情報エレメント（Information Element）で拡張されるフィールドである“UE-EUTRA-Capability-v1020-IEs”で、２つ以上のバンドに関する情報を設定するフィールド内に転送モード機能情報を含めるように具現することができる。この場合、該当バンドまたは該当コンポーネントキャリアでサポート可能な転送モードを制御することができる。
【０１４２】
そして、送信部２３１０はネットワークまたは基地局にメッセージに対する応答として、ユーザ端末機能情報メッセージを送信する。
【０１４３】
以後、送信された転送モード機能情報によって、ネットワークまたは基地局とデータを送受信するようになる。制御部２３２０は、転送モード機能が半二重転送モードの場合と、そうでない場合によって送受信方式を設定する。即ち、図７、図８、及び図１４で説明したように、ユーザ端末の転送モード機能情報が設定された場合、ユーザ端末は基地局／ネットワークと半二重モードまたは全二重モードで送受信するようになる。
【０１４４】
一方、図８、図１０、図１１、図１２、図１５、図１６、図１７、図１８、及び図１９で説明したように、バンドまたはコンポーネントキャリア別に転送モード機能情報が設定された場合、ユーザ端末は基地局と各バンド／コンポーネントキャリア別に設定されたところによって、半二重モードまたは全二重モードで送受信するようになる。半二重モードで送受信する場合、衝突するサブフレームに対してはミューティングすることを知らせる情報を基地局からユーザ端末が受信することができる。
【０１４５】
今まで説明した方式による場合、インターバンドＣＡ（ＴＤＤ）で衝突するサブフレーム上で半二重転送モードで動作するＵＥにミューティング情報を転送することによって、より安定したＵＥ動作を具現することができる。
【０１４６】
即ち、本明細書ではインターバンドＣＡ下で、キャリアアグリゲートされたＣＣが互いに異なるバンド上でアグリゲートされた場合に、互いに異なるＴＤＤ ＵＬ−ＤＬ設定を具現することができ、このような互いに異なるＴＤＤ ＵＬ−ＤＬ設定により発生できる互いに異なるＣＣ上でＵＬサブフレームとＤＬサブフレームとが互いに衝突する（miss match）サブフレームに対して該当端末がサポート可能な転送モード、あるいは該当端末が該当バンドまたはコンポーネントキャリアでサポート可能な転送モードによって全二重／半二重モードで転送することを可能にし、特に、このために、本明細書の一実施形態ではUE-EUTRA-Capability情報エレメント（Information Element）を用いてユーザ端末が基地局にシグナリングできるようにする。
【０１４７】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものではなく、説明するためのものであり、このような実施形態により本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【０１４８】
本特許出願は、２０１１年１１月２５日付で韓国に出願した特許出願番号第１０−２０１１−０１２４６４２号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても同一の理由により優先権を主張すれば、その全ての内容は参考文献として本特許出願に併合される。
【図１】
0005951789.tif 000009
【図２】
0005951789.tif 000010
【図５】
0005951789.tif 000011
【図６】
0005951789.tif 000012
【図７】
0005951789.tif 000013
【図８】
0005951789.tif 000014
【図９】
0005951789.tif 000015
【図１０】
0005951789.tif 000016
【図１１】
0005951789.tif 000017
【図１２】
0005951789.tif 000018
【図１３】
0005951789.tif 000019
【図１４】
0005951789.tif 000020
【図１５】
0005951789.tif 000021
【図１６】
0005951789.tif 000022
【図１７】
0005951789.tif 000023
【図１８】
0005951789.tif 000024
【図１９】
0005951789.tif 000025
【図２０】
0005951789.tif 000026
【図２１】
0005951789.tif 000027
【図２２】
0005951789.tif 000028
【図２３】
0005951789.tif 000029
【図３】
0005951789.tif 000030
【図４】
0005951789.tif 000031